(57)【要約】【課題】録画再生装置において、追いかけ再生を視聴しやすくすると共に、ＴＶ番組の見逃しを防止する。【解決手段】録画再生装置は、ＴＶ番組が録画されるＨＤＤと、装置各部を制御するための制御用マイコンと、再生速度等の再生速度情報とを記憶するメモリとを備える。制御用マイコンは、録画を継続しながら、録画中のＴＶ番組を追いかけ再生することが可能である。ユーザは、操作部を操作することによりＴＶ番組の再生速度を任意の速度に設定する。制御用マイコンは、メモリに記憶されている再生速度情報に基づいてＴＶ番組の再生速度を設定した後（Ｓ６）、ＴＶ番組を再生する（Ｓ７、Ｓ８）。そして、録画再生装置は、追加録画があるか否かを判断し（Ｓ９）、追加録画がある場合（Ｓ１０でＹＥＳ）、設定した再生速度に基づいて、追加録画中のＴＶ番組の追いかけ再生処理を自動的に行う（Ｓ７）。【選択図】図３
2008288951.tif 000002
【特許請求の範囲】
【請求項１】
テレビジョン番組（以下、ＴＶ番組という）が録画される記録媒体と、
ＴＶ番組を前記記録媒体に録画する録画手段と、
前記記録媒体に録画されているＴＶ番組を再生する再生手段と、
前記録画手段によるＴＶ番組の録画と前記再生手段によるＴＶ番組の再生とを制御する録画再生制御手段とを備え、
前記録画再生制御手段は、前記録画手段によって録画中のＴＶ番組の録画を継続しながら、録画中のＴＶ番組を再生すること（以下、追いかけ再生という）が可能な録画再生装置において、
ＴＶ番組の再生速度を任意の速度に設定するための操作手段と、
前記操作手段により設定されたＴＶ番組の再生速度を記憶する速度記憶手段とをさらに備え、
前記録画再生制御手段は、前記速度記憶手段に記憶された再生速度に基づいてＴＶ番組を再生することを特徴とする録画再生装置。
【請求項２】
前記録画再生制御手段は、前記再生手段によるＴＶ番組の再生が終了したときに、前記録画手段によってＴＶ番組が録画されている場合、録画中のＴＶ番組の追いかけ再生を自動的に開始することを特徴とする請求項１に記載の録画再生装置。
【請求項３】
前記録画再生制御手段は、前記再生手段によるＴＶ番組の再生が終了したときに、前記録画手段によってＴＶ番組が録画されている場合、録画中のＴＶ番組の追いかけ再生を、前記速度記憶手段に記憶された再生速度に基づいて自動的に開始することを特徴とする請求項２に記載の録画再生装置。
【発明の詳細な説明】
【技術分野】
【０００１】
本発明は、録画再生装置に関し、特に追いかけ再生技術に関する。
【背景技術】
【０００２】
従来から、録画中のテレビジョン番組（以下、ＴＶ番組）を、録画しながら再生することができる、所謂、追いかけ再生を行うことが可能な録画再生装置がある。この種の録画再生装置において、再生開始時刻と録画中の番組の録画終了時刻との時間差から、追いかけ再生時の再生速度を算出し、算出した再生速度で追いかけ再生を行うものがある（例えば、特許文献１乃至特許文献４参照）。
【０００３】
しかし、これらの録画再生装置では、再生開始時刻から録画終了時刻までの時間が短い場合、算出された再生速度が早すぎて、ユーザが視聴しにくいという問題がある。
【０００４】
一方、追いかけ再生速度を遅くした場合、録画中のＴＶ番組の終了時刻までに、再生中のＴＶ番組が終わらないことがあるため、追いかけ再生をしているＴＶ番組の後に、ユーザにとって視聴したいＴＶ番組があるとき、ユーザがＴＶ番組を見逃してしまうという問題がある（例えば、特許文献５乃至特許文献７参照）。
【特許文献１】特表２００３−３１７９８４５号公報
【特許文献２】特開２００３−１６９２７４号公報
【特許文献３】特表２００４−４８５２５号公報
【特許文献４】特開２００６−２９５７５３号公報
【特許文献５】特表２００６−１１５１８８号公報
【特許文献６】特開２００５−２５３０１７号公報
【特許文献７】特開２００５−１４２８２１号公報
【発明の開示】
【発明が解決しようとする課題】
【０００５】
本発明は、上述した問題点を解決するためになされたものであり、追いかけ再生を視聴しやすくすると共に、ＴＶ番組の見逃しを防止することができる録画再生装置を提供することを目的とする。
【課題を解決するための手段】
【０００６】
上記目的を達成するために請求項１の発明は、テレビジョン番組（以下、ＴＶ番組という）が録画される記録媒体と、ＴＶ番組を前記記録媒体に録画する録画手段と、前記記録媒体に録画されているＴＶ番組を再生する再生手段と、前記録画手段によるＴＶ番組の録画と前記再生手段によるＴＶ番組の再生とを制御する録画再生制御手段とを備え、前記録画再生制御手段は、前記録画手段によって録画中のＴＶ番組の録画を継続しながら、録画中のＴＶ番組を再生すること（以下、追いかけ再生という）が可能な録画再生装置において、ＴＶ番組の再生速度を任意の速度に設定するための操作手段と、前記操作手段により設定されたＴＶ番組の再生速度を記憶する速度記憶手段とをさらに備え、前記録画再生制御手段は、前記速度記憶手段に記憶された再生速度に基づいてＴＶ番組を再生するものである。
【０００７】
請求項２に記載の発明は、請求項１に記載の録画再生装置において、前記録画再生制御手段は、前記再生手段によるＴＶ番組の再生が終了したときに、前記録画手段によってＴＶ番組が録画されている場合、録画中のＴＶ番組の追いかけ再生を自動的に開始するものである。
【０００８】
請求項３に記載の発明は、請求項２に記載の録画再生装置において、前記録画再生制御手段は、前記再生手段によるＴＶ番組の再生が終了したときに、前記録画手段によってＴＶ番組が録画されている場合、録画中のＴＶ番組の追いかけ再生を、前記速度記憶手段に記憶された再生速度に基づいて自動的に開始するものである。
【発明の効果】
【０００９】
請求項１の発明によれば、速度記憶手段に記憶された再生速度に基づいてＴＶ番組を再生するので、ユーザが視聴しやすい早さで追いかけ再生を行うことができる。
【００１０】
請求項２の発明によれば、ＴＶ番組の再生が終了したときに、ＴＶ番組が録画されている場合、録画中のＴＶ番組の追いかけ再生を自動的に開始する。そのため、ユーザが手動で追いかけ再生の指示を行う必要がないので、ユーザによる操作の手間を軽減させることができる。その結果、ユーザが視聴したいＴＶ番組を見逃すことを防止することができる。
【発明を実施するための最良の形態】
【００１１】
以下、本発明の一実施形態について、図１及び図２を参照して説明する。図１は、テレビジョン番組（以下、ＴＶ番組という）を録画可能なハードディスクレコーダ（録画再生装置）１と、このハードディスクレコーダ１に接続されたテレビ２とを含むテレビジョンシステムを示す。図２は、ハードディスクレコーダ１の内部構成のブロック図である。
【００１２】
テレビ２は、ＴＶ番組を表示するためのディスプレイ２１と、ＴＶ番組の音声等を出力するためのスピーカ２２と、ＴＶ番組を受信するチューナ（図示せず）と、ユーザによって操作され、受信するＴＶ番組の切替え等を指示するためのボタン２３と、ケーブル３を接続して各種信号を入出力するための接続部（図示せず）とを備える。テレビ２とハードディスクレコーダ１とは、ケーブル３を介して接続されている。テレビ２は、ハードディスクレコーダ１から出力されたＴＶ番組の再生信号に基づいてＴＶ番組の映像をディスプレイ２１に、ＴＶ番組の音声をスピーカ２２に出力する。
【００１３】
ハードディスクレコーダ１は、図２に示すように、ＴＶ番組を受信するためのチューナ１２と、チューナ１２によって受信したＴＶ番組が録画されるハードディスク１８（請求項における記録媒体；以下、ＨＤＤという）と、ユーザにより操作される操作部（操作手段）１３と、ケーブル３が接続され、ＴＶ番組信号や各種信号を入出力するための入出力部１５とを備える。
【００１４】
また、ハードディスクレコーダ１は、ＨＤＤ１８にＴＶ番組等のデータを書込むための書込み部１７と、ＨＤＤ１８に録画されているＴＶ番組のデータ等を読取るための読取り部１６と、装置各部を制御するための制御用マイコン（再生手段、録画手段、録画再生制御手段）１１と、制御用マイコン１１の動作プログラム等のデータを格納するメモリ１４（速度記憶手段）とを備える。
【００１５】
操作部１３は、ユーザによって操作され、ＴＶ番組の再生速度の設定や、録画するＴＶ番組の設定等を行うためのボタン等を有する。ユーザは、操作部１３を操作することによりＴＶ番組の再生速度を任意の速度に設定する。
【００１６】
メモリ１４は、ＨＤＤ１８に録画されるＴＶ番組の録画予定情報が記録された番組録画予定情報と、ＴＶ番組の再生速度等の再生速度情報とを記憶する。
【００１７】
制御用マイコン１１は、番組録画予定情報やＴＶ番組の再生速度情報をメモリ１４に記憶させる。また、制御用マイコン１１は、書込み部１７を用いたＴＶ番組の録画や、読取り部１６を用いたＴＶ番組の再生を制御する。
【００１８】
制御用マイコン１１は、ＨＤＤ１８に録画されたＴＶ番組を再生するとき、メモリ１４に記憶されている再生速度情報に基づいてＴＶ番組の再生を行う。また、制御用マイコン１１は、録画中のＴＶ番組の録画を継続しながら、録画中のＴＶ番組を再生すること（以下、追いかけ再生という）が可能である。
【００１９】
次に、ハードディスクレコーダ１のＴＶ番組再生処理について、図３に示すフローチャートを参照して説明する。ここでは、ＴＶ番組を録画中に、ユーザによってＴＶ番組の再生が指示されたものとする。
【００２０】
まず、制御用マイコン１１は、再生するＴＶ番組（再生番組）と録画中のＴＶ番組（録画番組）が同じか否かを判断し（Ｓ１）、同じＴＶ番組の場合（Ｓ２でＹＥＳ）、メモリ１４に記憶されている再生速度情報に基づいてＴＶ番組の再生速度を設定する（Ｓ６）。
【００２１】
そして、制御用マイコン１１は、設定した再生速度に基づいて、録画中のＴＶ番組の追いかけ再生を開始し（Ｓ７）、ＴＶ番組追いかけ再生処理を行う（Ｓ８）。この処理の詳細については後述する。
【００２２】
上記Ｓ８の処理が終了した後、制御用マイコン１１は、メモリ１４に記憶されている番組録画予定情報を参照して、追加録画があるか（追加録画中か）否かを判断し（Ｓ９）、追加録画がある場合（Ｓ１０でＹＥＳ）、上記Ｓ７以降の処理を行い、追加録画中のＴＶ番組に対して、上記Ｓ６の処理で設定された再生速度に基づいて、追いかけ再生を自動的に開始する。追加録画がない場合（Ｓ１０でＮＯ）、本処理を終了する。
【００２３】
上記Ｓ１の判断の結果、ＴＶ番組が同じではない場合（Ｓ２でＮＯ）、制御用マイコン１１は、ユーザによって再生指示されたＴＶ番組を１倍速で再生開始し（Ｓ３）、このＴＶ番組を再生する（Ｓ４）。そして、ＴＶ番組の再生が終了した場合（Ｓ５でＹＥＳ）、本処理を終了する。一方、ＴＶ番組の再生が終了していない場合（Ｓ５でＮＯ）、上記Ｓ４の処理を繰り返す。
【００２４】
次に、上記Ｓ８の処理の詳細について、図４に示すフローチャートを参照して説明する。制御用マイコン１１は、上記Ｓ６の処理で設定された再生速度に基づいて、ＴＶ番組の追いかけ再生を開始し（Ｓ２１）、ＴＶ番組を再生する（Ｓ２２）。そして、制御用マイコン１１は、ＴＶ番組の再生が終了した場合（Ｓ２３でＹＥＳ）、本処理を終了する。
【００２５】
一方、ＴＶ番組の再生が終了していない場合（Ｓ２３でＮＯ）、ＴＶ番組の再生時点と録画時点とが同じ時点になったとき、すなわち、追いかけ再生の再生時点が録画中のＴＶ番組の録画時点に追いついたとき（Ｓ２４でＹＥＳ）、制御用マイコン１１は、追いかけ再生速度を１倍速に設定して再生を開始する（Ｓ２５）。ＴＶ番組の再生時点と録画時点とが同じ時点でない場合（Ｓ２４でＮＯ）、制御用マイコン１１は、上記Ｓ２２以降の処理を繰り返す。
【００２６】
そして、制御用マイコン１１は、上記Ｓ２５の処理後、１倍速でＴＶ番組を再生し（Ｓ２６）、再生が終了した場合（Ｓ２７でＹＥＳ）、本処理を終了する。一方、再生が終了していない場合（Ｓ２７でＮＯ）、上記Ｓ２６の処理を繰り返す。
【００２７】
上記のように、本実施形態に係るハードディスクレコーダ１によれば、ユーザによって設定された再生速度に基づいてＴＶ番組を再生するので、ユーザが視聴しやすい早さで追いかけ再生を行うことができる。また、ＴＶ番組の再生が終了したときに、ＴＶ番組が追加録画中の場合（上記Ｓ１０でＹＥＳに相当）、追加録画中のＴＶ番組の追いかけ再生を自動的に開始する。そのため、ユーザが手動で追いかけ再生の指示操作を行う必要がないので、ユーザによる操作の手間を軽減させることができる。その結果、ＴＶ番組の追いかけ再生終了後に、ユーザが視聴したいＴＶ番組を見逃すことを防止することができる。
【００２８】
なお、本発明は、上記実施形態の構成に限られず、発明の趣旨を変更しない範囲で種々の変形が可能である。例えば、請求項における録画再生装置の例として、ハードディスクレコーダ１を示したが、これに限られず、ＤＶＤレコーダ等のＴＶ番組が記録された記録媒体を読み込み可能な機器や、ネットワークに接続可能なＮＡＳ（Ｎｅｔｗｏｒｋ  Ａｔｔａｃｈｅｄ  Ｓｔｏｒａｇｅ）等であってもよい。
【図面の簡単な説明】
【００２９】
【図１】本発明の一実施形態に係るテレビとハードディスクレコーダを含むテレビジョンシステムの概略図。
【図２】上記ハードディスクレコーダの内部構成を示すブロック図。
【図３】上記ハードディスクレコーダのＴＶ番組再生処理を示すフローチャート。
【図４】上記ＴＶ番組再生処理におけるＴＶ番組追いかけ再生処理の詳細を示すフローチャート。
【符号の説明】
【００３０】
１  ハードディスクレコーダ（録画再生装置）
１１  制御用マイコン（再生手段、録画手段、録画再生制御手段、）
１３  操作部（操作手段）
１４  メモリ（速度記憶手段）
１８  ＨＤＤ（記録媒体）
【図１】
2008288951.tif 000003
【図２】
2008288951.tif 000004
【図３】
2008288951.tif 000005
【図４】
2008288951.tif 000006